(57)【特許請求の範囲】
【請求項１】
建物の勾配屋根面の開口部に設けられるとともに、前記勾配屋根の下方に設けられた小屋裏居室に出入り可能なルーフバルコニにおいて、
前記開口部に収納されるバルコニ用サッシ体を備えて構成され、
このバルコニ用サッシ体は、前記小屋裏居室からルーフバルコニに出入りするための出入り口部が形成されてガラス面を有した垂直面部と、この垂直面部に連続するとともに前記勾配屋根面の勾配と同一勾配かつ同一平面上に位置し屋根棟側に延びる勾配面部とを有し、一体的に形成されてユニット化され、
前記勾配面部は、サッシ枠にガラスがはめ込まれたガラス面となっていることを特徴とする建物のルーフバルコニ。
【請求項２】
建物の勾配屋根面の開口部に設けられるとともに、前記勾配屋根の下方に設けられた小屋裏居室に出入り可能なルーフバルコニにおいて、
前記開口部に収納されるバルコニ用サッシ体を備えて構成され、
このバルコニ用サッシ体は、前記小屋裏居室からルーフバルコニに出入りするための出入り口部が形成されてガラス面を有した垂直面部と、この垂直面部に連続するとともに前記勾配屋根面の開口部の棟側縁に向かって延びる水平な上面部とを有し、一体的に形成されてユニット化され、
前記上面部は、サッシ枠にガラスがはめ込まれたガラス面となっていることを特徴とする建物のルーフバルコニ。
【請求項３】
請求項１または請求項２に記載の建物のルーフバルコニにおいて、
前記バルコニ用サッシ体の前記垂直面部には、その両端に連続するとともに前方に突出して設けられたほぼ台形状の２面の側壁面部が一体的に設けられ、
前記側壁面部の上端には、前記勾配屋根の勾配と等しい勾配に形成された斜め材が設けられ、当該２面の側壁面部の少なくとも一方の少なくとも一部がガラス面となっていることを特徴とする建物のルーフバルコニ。
【請求項４】
請求項１に記載の建物のルーフバルコニにおいて、
前記勾配面部の建物の棟側端部は、当該建物の棟包み金物の下部に達していることを特徴とする建物のルーフバルコニ。
【請求項５】
請求項３に記載の建物のルーフバルコニにおいて、
前記バルコニ用サッシ体は、前記垂直面部と平行かつ、前記側壁面部の軒先側端に設けられる前面部を含んで一体的に設けられ、
前記前面部の上端は、前記開口部の軒先側縁部と接することを特徴とする建物のルーフバルコニ。
【請求項６】
請求項１から請求項５のいずれかに記載の建物のルーフバルコニにおいて、
前記バルコニ用サッシ体は、前記垂直面部の下部に連続して前方に延びるバルコニ床面部を含んで一体的に設けられていることを特徴とする建物のルーフバルコニ。
【発明の詳細な説明】
【技術分野】
【０００１】
本発明は、建物の勾配屋根面の開口部に設けられるとともに、勾配屋根面の下方に設けられた小屋裏居室に出入り可能なルーフバルコニに関する。
【背景技術】
【０００２】
近年、敷地の有効活用や二世帯用として使用する等の理由で、３階建住宅が増加している。それとともに、建築基準法の制限や、地域の近隣住宅への配慮から、３階部分を勾配屋根の小屋裏に設ける、いわゆる小屋裏３階建住宅の比率も高くなってきている（例えば、特許文献１参照）。
【０００３】
【特許文献１】特開平１０ー１６９１１４号公報
【発明の開示】
【発明が解決しようとする課題】
【０００４】
ところで、小屋裏を居室とした場合、屋根が覆い被さる勾配天井の居室となるため採光が困難となる。そのため、ドーマやトップライトを利用して採光面積を増やしたり、勾配屋根の開口部にバルコニを設けてルーフバルコニとしたりして、居住環境を改善しようとの試みがいろいろと行われている。
しかし、ルーフバルコニを設けたとしても、採光は、小屋裏居室への出入り口をガラス窓とした際のそのガラス窓からしか望めず、閉鎖的な小屋裏居室空間を、充分に明るい居住空間とするには至っておらず、採光が充分となる小屋裏居室空間が求められている。
【０００５】
本発明の目的は、小屋裏居室空間の採光が充分となる建物のルーフバルコニを提供することにある。
【課題を解決するための手段】
【０００６】
本発明の請求項１に記載の建物のルーフバルコニは、図面を参照して説明すると、図1に示すように、建物の勾配屋根面の開口部に設けられるとともに、勾配屋根の下方に設けられた小屋裏居室に出入り可能なルーフバルコニにおいて、開口部に収納されるバルコニ用サッシ体２を備えて構成され、このバルコニ用サッシ体２は、小屋裏居室からルーフバルコニ１に出入りするための出入り口部が形成されてガラス面を有した垂直面部３と、この垂直面部３に連続するとともに勾配屋根面１６の勾配と同一勾配かつ同一平面上に位置し屋根棟１６Ｂ側に延びる勾配面部４とを有し、一体的に形成されてユニット化され、勾配面部４は、サッシ枠にガラスがはめ込まれたガラス面となっていることを特徴とするものである。
【０００７】
以上において、垂直面部と勾配面部との幅寸法は必ずしも同じである必要はなく、勾配面部の幅寸法を大きくしてもよい。この場合、勾配面部を垂直面部の左右のいずれかに拡張して、勾配屋根面の開口部の隣接する２辺に接するようにしてもよく、あるいは、左右の両側に拡張して、勾配屋根面の開口部の隣接する３辺に接するようにしてもよい。また、勾配面部において垂直面部との接合部である基端部から屋根棟までの寸法は、勾配面部からの採光を可能とするものであればよい。例えば、基端部と屋根棟との中間位置程度までの寸法であってもよく、あるいは、屋根棟まで至るものであってもよい。
【０００８】
このような本発明では、バルコニ用サッシ体には、屋根棟側に延び、かつ、ガラス面となった勾配面部が設けられているので、この勾配面部からの採光が可能となり、小屋裏居
室空間の採光が充分となる。垂直面部にもガラス面が設けられているので、垂直面部と勾配面部との両方から採光を得ることができ、小屋裏居室空間のより一層の採光を得ることができる。
また、バルコニ用サッシ体が、垂直面部と勾配面部とを一体的に形成してユニット化されているとともに、勾配屋根面の開口部内に収納されるので、取付が容易となり、取付作業の効率化および工期短縮を図れる。
【０００９】
本発明の請求項２に記載の建物のルーフバルコニは、図面を参照して説明すると、図１２に示すように、建物の勾配屋根面の開口部に設けられるとともに、勾配屋根の下方に設けられた小屋裏居室に出入り可能なルーフバルコニにおいて、開口部に収納されるバルコニ用サッシ体７２を備えて構成され、このバルコニ用サッシ体７２は、小屋裏居室からルーフバルコニに出入りするための出入り口部が形成されてガラス面を有した垂直面部７３と、この垂直面部７３に連続するとともに前記勾配屋根面１６の開口部１６Ａの棟１６Ｂ側縁に向かって延びる水平な上面部８０とを有し、一体的に形成されてユニット化され、上面部８０は、サッシ枠にガラスがはめ込まれたガラス面７８となっていることを特徴とするものである。
【００１０】
このような本発明では、バルコニ用サッシ体には、ガラス面となった水平な上面部が設けられているので、この上面部からの採光が可能となり、小屋裏居室空間の採光が充分となる。垂直面部にもガラス面が設けられているので、垂直面部と上面部との両方からの採光を得ることができ、小屋裏居室空間の採光がより充分となる。また、上面部を有することから変化に富んだ外観の建物となる。
また、バルコニ用サッシ体が、垂直面部と上面部とを一体的に形成してユニット化されているとともに、勾配屋根面の開口部内に収納されるので、取付が容易となり、取付作業の効率化および工期短縮を図れる。
【００１３】
本発明の請求項３に記載の建物のルーフバルコニは、図７および図１２に示すように、請求項１または請求項２に記載の建物のルーフバルコニにおいて、バルコニ用サッシ体４２，７２の垂直面部３３，７３には、その両端に連続するとともに前方に突出して設けられたほぼ台形状の２面の側壁面部３７，７７が一体的に設けられ、側壁面部３７，７７の上端には、勾配屋根１６の勾配と等しい勾配に形成された斜め材が設けられ、当該２面の側壁面部３７，７７の少なくとも一方の少なくとも一部がガラス面３７Ａとなっていることを特徴とするものである。
【００１４】
このような本発明では、バルコニ用サッシ体には、屋根棟側に延びてかつガラス面となった勾配面部、または、水平な上面部と、垂直面部に連続してかつガラス面となった２面の側壁面部とが設けられているので、勾配面部または上面部と、側壁面部とからの採光が可能となり、採光面積が増えるので、小屋裏居室空間の採光が充分となる。
また、バルコニ用サッシ体が、勾配面部または上面部と、垂直面部と、側壁面部とを一体的に形成してユニット化されているとともに、勾配屋根面の開口部内に収納されるので、取付が容易となり、取付作業の効率化および工期短縮を図れる。
【００１５】
本発明の請求項４に記載の建物のルーフバルコニは、図１１に示すように、請求項１に記載の建物のルーフバルコニにおいて、勾配面部６４の建物の棟１６Ｂ側端部は、当該建物の棟包み金物６０の下部に達していることを特徴とするものである。
【００１６】
このような本発明では、勾配面部が、垂直面部から棟包み金物までの広さのガラス面となっており、採光面積が一層増すので、小屋裏居室空間の採光が充分となる。
【００１７】
本発明の請求項５に記載の建物のルーフバルコニは、図面を参照して説明すると、図７および図１２に示すように、請求項３に記載の建物のルーフバルコニにおいて、前記バルコニ用サッシ体４２，７２は、垂直面部３３，７３と平行かつ、側壁面部３７，７７の軒先側端に設けられる前面部３４，７４を含んで一体的に設けられ、前面部３４，７４の上端は、開口部１６Ａの軒先側縁部と接することを特徴とするものである。
【００１８】
このような本発明では、バルコニ用サッシ体が、垂直面部と平行かつ、側壁面部の軒先側端に設けられる前面部を含んで一体的に形成されてユニット化され、勾配屋根面の開口部内に収納されるともに、前面部の上端は、開口部の軒先側縁部と接しているので、取付が容易となり、取付作業の効率化および工期短縮を図れる。
【００１９】
本発明の請求項６に記載の建物のルーフバルコニは、図７および図１２に示すように、請求項１から請求項５のいずれかに記載の建物のルーフバルコニにおいて、バルコニ用サッシ体４２，７２は、垂直面部３３，７３の下部に連続して前方に延びるバルコニ床面部３５，７５を含んで一体的に設けられていることを特徴とするものである。
【００２０】
このような本発明では、バルコニ用サッシ体が、垂直面部の下部に連続して前方に延びるバルコニ床面部を含んで一体的に形成されてユニット化され、勾配屋根面の開口部内に収納されるので、取付が容易となり、取付作業の効率化および工期短縮を図れる。
【発明を実施するための最良の形態】
【００２１】
以下に、本発明の実施形態を図面に基づいて説明する。
図１に示すように、本発明の第１実施形態に係るルーフバルコニ１は、ユニット式建物１０に設けられている。このユニット式建物１０は、予め工場で生産された複数の下階建物ユニット１１、上階建物ユニット１２、および上階建物ユニット１２の上方に設けられる勾配屋根１６等を、建築現場で組み合わせることにより建てられる。
なお、上階建物ユニット１２の上方には、図３に示すように、勾配屋根１６で覆われるとともに、内壁１８，床面材９等で形成される小屋裏居室１５が設けられている。
【００２２】
上下階建物ユニット１２，１１は、図２に示すように、四隅に立設される４本の柱２０と、これらの柱２０の上端間同士および下端間同士を結合する各４本の上梁２１、下梁２２を含む骨組み２３を備えて形成されている。そして、このような骨組み２３には、天井面材、床面材、内壁および外壁等が適宜取り付けられ、建物ユニット１２等が完成されるようになっている。
【００２３】
図３に示すように、屋根パネル用フレーム１４は、縦横の枠部材を組み立てて四角枠に形成され、その上面に屋根パネル１３が取り付けられ、建物の勾配屋根１６が形成されている。
そして、このような屋根パネル用フレーム１４は、屋根束２４およびパネル受けブラケット２５で支持され、これらの屋根束２４およびパネル受けブラケット２５は、小屋パネル１７に取り付けられるようになっている。
【００２４】
図１に示すように、このような勾配屋根１６の一面には開口部１６Ａが形成され、この開口部１６Ａに、バルコニ用サッシ体２を収容することにより、前記ルーフバルコニ１が構成されている。
このようなバルコニ用サッシ体２は、開口部１６Ａ内に収容されるとともに、図３に示すように、小屋パネル１７に載せられ、かつ、図示しないブラケット等により固定されている。
【００２５】
図１，４に詳細を示すように、バルコニ用サッシ体２は、屋根面１６からほぼ垂直に下方に延びた垂直面部３と、この垂直面部３の上端部に連続するとともに、勾配屋根面１６の勾配と同一勾配、かつ、同一平面上に位置し、屋根面１６に沿って屋根棟１６Ｂ側に延びる勾配面部４と、垂直面部３の下端部に連続し、かつ、屋根軒先１６Ｃ側に延びる水平なバルコニ床面部５を有している。
【００２６】
垂直面部３には、小屋裏居室１５からルーフバルコニ１に出入りするための出入り口部６が形成されており、この出入り口部６は、引き戸式のガラス面で形成されている。また、勾配面部４は、サッシ枠にガラスがはめ込まれたガラス面７となっている。さらに、バルコニ床面部５は、補強梁８Ａで補強されたサッシ床枠８の上面に床部材９を配置して構成されている。
【００２７】
このようなバルコニ用サッシ体２は、アルミニウム等で一体的に形成され、ユニット化されている。そして、バルコニ床面部５を、図３に示したと同様に、小屋パネル１７に載せて固定するとともに、垂直面部３の両側面、および勾配面部４の３方周囲を、屋根パネル用フレーム１４に、図示しない係止部材により係止させて確実に固定されている。
【００２８】
勾配屋根面１６の開口部１６Ａにおいて、バルコニ用サッシ体２の垂直面部３の上端から開口部１６Ａの軒先側縁部までの間、かつ、屋根面１６とバルコニ床面部５との間には、ほぼ台形状の２枚のバルコニ用側面外壁２６が設けられている。また、バルコニ床面部５の軒先側先端と開口部１６Ａの軒先側縁部との間には、前記バルコニ用側面外壁２６の先端同士間にわたされて、バルコニ用前側外壁２７が設けられている。
【００２９】
このような本実施形態では、次のような効果がある。
(1)ルーフバルコニ１を構成するバルコニ用サッシ体２には、ガラス面７となった勾配面部４が設けられているので、この勾配面部４とガラス面となっている出入り口部６との両方からの採光が可能となる。従って、採光面積が増え、小屋裏居室空間の採光が充分となり、明るく快適な小屋裏居住空間を得ることができる。
【００３０】
(2)バルコニ用サッシ体２は、アルミニウム等で一体的に形成され、ユニット化されており、バルコニ床面部５を、小屋パネル１７に載せて固定するとともに、垂直面部３の両側面、および勾配面部４の３方周囲を屋根パネル用フレーム１４に係止させればよいので、取付が容易となり、取付作業の効率化および工期短縮を図れる。
【００３１】
(3)バルコニ用サッシ体２の勾配面部４は、勾配屋根面１６と同一勾配、かつ、同一面上に屋根面１６に沿って設けられているので、雨等の水の流れが勾配面部４で滞ることがなくスムーズに流れ、また、勾配面部４が屋根面に連続しているのですっきりとした外観となる。
【００３２】
(4)ルーフバルコニ１を構成するバルコニ用サッシ体２には、ガラス面７となった勾配面部４が設けられているので、寒い季節等、出入り口部６を開けて外に出なくても、小屋裏室内から天心寄りの星座等を観察することができ、利用価値が大きい。
【００３３】
次に、図５，６に基づいて、本発明の第２実施形態のルーフバルコニ３１を説明する。
この実施形態のルーフバルコニ３１は、前記第１実施形態のルーフバルコニ１のバルコニサッシ体２が勾配面部４を備えていたものを、勾配面部のないバルコニサッシ体３２としたものである。
【００３４】
すなわち、バルコニサッシ体３２は、アルミ枠サッシで形成された垂直面部３３と、この垂直面部３３の下端に軒先１６Ｂ側に延びて水平に設けられた床面部３５と、垂直面部３３と平行かつ床面部３５の軒先１６Ｃ側他端に設けられ、上端が前記開口部１６Ａの軒先１６Ｃ側縁部と接する前面部３４と、これらの垂直面部３３と前面部３４とを接続するほぼ台形上の２つの側壁面部３７とを有して形成されている。
なお、垂直面部３３の上端は、開口部１６Ａの棟１６Ｂ側縁部と接し、側壁面部３７の斜め材は、屋根１６の勾配と等しい勾配となっている。
【００３５】
垂直面部３３には、小屋裏居室１５からルーフバルコニ３１に出入りするための出入り口部３６が形成されており、この出入り口部３６は、引き戸式のガラス面で形成されている。また、バルコニ床面部３５は、補強梁３８Ａで補強されたサッシ床枠３８の上面に床部材３９を配置して構成されている。
【００３６】
それぞれの側壁面部３７は、前後方向に２分割されており、出入り口部３６側の半分はガラス面３７Ａとなっており、外側の半分は壁面材３７Ｂとなっている。また、前面部３４には、前面壁３４Ａが張られている。
【００３７】
このようなバルコニ用サッシ体３２は、前記第１実施形態と同じように、アルミニウム等で一体的に形成され、ユニット化されている。そして、小屋パネル１７に載せて固定するとともに、屋根パネル用フレーム１４に係止させることにより確実に固定されるようになっている。
なお、以下に述べる各実施形態のバルコニ用サッシ体の取付けも、上述したように取付けられるようになっている。
【００３８】
このような第２実施形態においては、前記(2)と同様の効果を得ることができる他、ルーフバルコニ３１を構成するバルコニ用サッシ体３２の側壁面部３７の一部がガラス面３７Ａとなっているので、これらの側壁面部３７と出入り口部３６との両方からの採光が可能となる。従って、採光面積が増え、小屋裏居室空間の採光が充分となり、明るく快適な小屋裏居住空間を得ることができる。
【００３９】
次に、図７，８に基づいて、本発明の第３実施形態のルーフバルコニ４１を説明する。
この実施形態のルーフバルコニ４１は、前記第２実施形態のバルコニサッシ体３２に、前記第１実施形態のバルコニサッシ体３２の勾配面部４を加えた形状のバルコニサッシ体４２としたものである。
そのため、この実施形態では、前記第２実施形態と同一構造および同一部材等には、同一符号を付すとともに、その詳細な説明は、省略または簡略化する。
【００４０】
バルコニサッシ体４２は、前記垂直面部３３と、床面部３５と、前面部３４と、２つの側壁面部３７と、垂直面部３３の上端部に連続するとともに、勾配屋根面１６の勾配と同一勾配、かつ、同一平面上に位置し、屋根面１６に沿って棟１６Ｂ側に延びる勾配面部４４とを有して形成されている。そして、この勾配面部４４は、サッシ枠にガラスがはめ込まれたガラス面４８となっている。
【００４１】
このような第３実施形態においては、前記(2)(4)と同様の効果を得ることができる他、バルコニ用サッシ体４２の側壁面部３７の一部と勾配面部４４とがガラス面となっているので、これらのガラス面および出入り口部３６との３方からの採光が可能となる。従って、採光面積が増え、小屋裏居室空間の採光が充分となり、明るく快適な小屋裏居住空間を得ることができる。
【００４２】
次に、図９，１０に基づいて、本発明の第４実施形態のルーフバルコニ５１を説明する。
この実施形態のルーフバルコニ５１は、勾配面部５４の両側面に、当該勾配面部５４と同一勾配の拡張勾配面部５４Ａを加えた形状のバルコニサッシ体５２を備えたものであり、勾配面部５４は、前記第３実施形態のバルコニサッシ体４２の勾配面部４４と同様のものである。そのため、この実施形態では、前記第３実施形態と同一構造および同一部材等には、同一符号を付すとともに、その詳細な説明は省略または簡略化する。
【００４３】
バルコニサッシ体５２は、垂直面部３３と、床面部３５と、前面部３４と、２つの側壁面部３７と、垂直面部３３の上端部に連続するとともに、勾配屋根面１６の勾配と同一勾配、かつ、同一平面上に位置し、屋根面１６に沿って屋根棟１６Ｂ側に延びる勾配面部５４と、この勾配面部５４の両側面に設けられ、勾配面部５４と同一勾配、かつ、屋根１６の開口部１６Ａの３辺に面した拡張勾配面部５４Ａとを有して形成されている。そして、この勾配面部５４および拡張勾配面部５４Ａは、サッシ枠にガラスがはめ込まれたガラス面５８となっている。
【００４４】
このような第４実施形態においては、前記(2)(4)と同様の効果を得ることができる他、ガラス面５８となった拡張勾配面部５４Ａを有しているので、出入り口部３６、側面３７Ａ、勾配面部５４および拡張勾配面部５４Ａからの採光が可能となる。従って、採光面積が一段と増え、小屋裏居室空間の採光が充分となり、明るく快適な小屋裏居住空間を得ることができる。
【００４５】
次に、図１１に基づいて、本発明の第５実施形態のルーフバルコニ６１を説明する。
この実施形態のルーフバルコニ６１は、バルコニサッシ体６２に設けた勾配面部６４の一端を、建物の棟１６Ｂの棟包み金物６０の下面まで延ばしたものである。そのため、この実施形態では、前記第３実施形態と同一構造および同一部材等には、同一符号を付すとともに、その詳細な説明は省略または簡略化する。
【００４６】
バルコニサッシ体６２は、前記垂直面部３３と、床面部３５と、前面部３４と、２つの側壁面部３７と、勾配面部６４と、この勾配面部５４の片方の側面に設けられた拡張勾配面部６４Ａ，６４Ｂとを有して形成され、この勾配面部６４および拡張勾配面部６４Ａ，６４Ｂは、サッシ枠にガラスがはめ込まれたガラス面６８となっている。勾配面部６４および拡張勾配面部６４Ａ，６４Ｂは、他の実施形態の勾配面部５４等と同様、屋根１６の勾配と同一勾配、同一平面上に位置している。
【００４７】
拡張勾配面部６４Ａ，６４Ｂは、勾配面部６４の一方の側面に設けられ、かつ、拡張勾配面部６４Ｂは、一方の側壁面部３７の上端縁に連続した状態となっている。また、２つの側壁面部３７のうち一方はガラス面となっており、他方は、壁面材が張られた壁面となっている。
【００４８】
このような第５実施形態においては、前記(2)(4)と同様の効果を得ることができる他、ガラス面６８となった拡張勾配面部６４Ａ，６４Ｂを有しており、勾配面部６４および拡張勾配面部６４Ａの一端が、建物の棟１６Ｂの棟包み金物６０の下面まで延びているので、採光面積が一段と増え、小屋裏居室空間の採光が充分となり、明るく快適な小屋裏居住空間を得ることができる。
【００４９】
次に、図１２，１３に基づいて、本発明の第６実施形態のルーフバルコニ７１を説明する。
この実施形態のルーフバルコニ７１は、バルコニサッシ体７２に、水平な上面部８０を設けたものである。
この実施形態では、前記各実施形態と同一構造および同一部材等には、同一符号を付すとともに、その詳細な説明は省略または簡略化する。
【００５０】
バルコニサッシ体７２は、垂直面部７３と、この垂直面部７３の下端に設けられ軒先１６Ｃ側に水平に突出する床面部７５と、この床面部７５の先端に立設される前面部７４と、垂直面部７３と前面部７４との間にわたされる２つの側壁面部７７と、垂直面部７３の上端部に棟１６Ｂ側に延びて設けられる水平な上面部８０とを有して形成され、この上面部８０は、サッシ枠にガラスがはめ込まれたガラス面７８となっている。
【００５１】
垂直面部７３には、小屋裏居室１５からルーフバルコニ７１に出入りするための出入り口部７６が形成されており、この出入り口部７６は、引き戸式のガラス面で形成されている。また、バルコニ床面部７５は、補強梁７８Ａで補強されたサッシ床枠７８の上面に床部材７９を配置して構成されている。さらに、前面部７４には前面壁７４Ａが設けられ、側壁面部７７には壁面材７７Ａが張られている。この側壁面部７７には壁面材７７Ａに代えてガラスを張ってもよい。
また、バルコニサッシ体７２において、上面部８０の両側面および垂直面部７３の上部と、屋根１６の開口部１６Ａにおける左右の縁部とで形成される隙間もガラス面８０Ａとなっている。
【００５２】
このような第６実施形態においては、前記(2)(4)と同様の効果を得ることができる他、上面部８０およびその両側面からの採光が可能となる。従って、採光面積が増え、小屋裏居室空間の採光が充分となり、明るく快適な小屋裏居住空間を得ることができる。また、上面部８０を有することから変化に富んだ外観のユニット式建物とすることができる。
【００５３】
なお、本発明は前記各実施形態に限定されるものではなく、本発明の目的を達成できるものであれば、次に示すような変形形態でもよいものである。
例えば、前記第２〜４実施形態において、２つの側壁面部３７の前後方向半分をガラス面３７Ａとし、残り半分を壁面材３７Ｂとしたが、これに限らない。一方の側壁面部３７のみをガラス面３７Ａと壁面材３７Ｂとし、他方の側壁面部３７全部をガラス面または壁面材としてもよい。あるいは、２つの側壁面部３７全部をガラス面としてもよい。
【００５４】
また、前記第４実施形態では、勾配面部５４の両側に拡張勾配面部５４Ａを設けたが、これに限らず、いずれか一方の側面にのみ拡張勾配面部５４Ａを設けてもよい。
【００５５】
さらに、前記第５実施形態では、勾配面部６４の片方の側面に拡張勾配面部６４Ａ，６４Ｂを設けたが、これに限らず、勾配面部６４の両側に拡張勾配面部６４Ａ，６４Ｂを設けてもよい。あるいは、勾配面部６４の一端が建物の棟１６Ｂの棟包み金物６０の下面まで延びていればよいので、拡張勾配面部６４Ａ，６４Ｂは設けなくてもよい。
【００５６】
（発明の効果）
以上に説明したように、本発明の建物のルーフバルコニによれば、バルコニ用サッシ体には、屋根棟側に延び、かつ、ガラス面となった勾配面部が設けられているので、この勾配面部からの採光が可能となり、小屋裏居室空間の採光が充分となるという効果がある。
【００５７】
また、本発明の他の建物のルーフバルコニによれば、バルコニ用サッシ体の２面の側壁面部がガラス面となっているので、これらの側壁面部からの採光が可能となり、小屋裏居室空間の採光が充分となる。垂直面部にもガラス面を設ければ、垂直面部と側壁面部との両方から採光を得ることができ、小屋裏居室空間のより一層の採光を得ることができるという効果がある。
【図面の簡単な説明】
【００５８】
【図１】本発明に係る第１実施形態のルーフバルコニが設けられたユニット式建物を示す全体斜視図である。
【図２】前記実施形態のユニット式建物を構成する建物ユニットの骨組みを示す全体斜視図である。
【図３】前記実施形態のルーフバルコニが設けられたユニット式建物を示す縦断面図である。
【図４】前記実施形態のルーフバルコニを構成するバルコニ用サッシ体を示す全体斜視図である。
【図５】本発明に係る第２実施形態のルーフバルコニが設けられたユニット式建物を示す全体斜視図である。
【図６】前記実施形態のルーフバルコニを構成するバルコニ用サッシ体を示す全体斜視図である。
【図７】本発明に係る第３実施形態のルーフバルコニが設けられたユニット式建物を示す全体斜視図である。
【図８】前記実施形態のルーフバルコニを構成するバルコニ用サッシ体を示す全体斜視図である。
【図９】本発明に係る第４実施形態のルーフバルコニが設けられたユニット式建物を示す全体斜視図である。
【図１０】前記実施形態のルーフバルコニを構成するバルコニ用サッシ体を示す全体斜視図である。
【図１１】本発明に係る第５実施形態のルーフバルコニが設けられたユニット式建物を示す全体斜視図である。
【図１２】本発明に係る第６実施形態のルーフバルコニが設けられたユニット式建物を示す全体斜視図である。
【図１３】前記実施形態のルーフバルコニを構成するバルコニ用サッシ体を示す全体斜視図である。
【符号の説明】
【００５９】
１，３１，４１，５１，６１，７１  ルーフバルコニ
２，３２，４２，５２，６２，７２  バルコニ用サッシ体
３，３３，７３  垂直面部
４，４４，５４，６４  勾配面部
５，３５，７５  床面部
６，３６，７６  ガラス面となった出入り口部
１０  ユニット式建物
１５  小屋裏居室
１７  小屋パネル
【図１】
0004543050.tif 000002
【図２】
0004543050.tif 000003
【図３】
0004543050.tif 000004
【図４】
0004543050.tif 000005
【図５】
0004543050.tif 000006
【図６】
0004543050.tif 000007
【図７】
0004543050.tif 000008
【図８】
0004543050.tif 000009
【図９】
0004543050.tif 000010
【図１０】
0004543050.tif 000011
【図１１】
0004543050.tif 000012
【図１２】
0004543050.tif 000013
【図１３】
0004543050.tif 000014